(57)【要約】【課題】敷布団上に配置して自分の力で加減して容易に使用でき、ハンドルの押し下げ操作により腰椎を伸ばし、その反動で背も伸ばし得るようにする。【解決手段】適宜間隔をおいて互いに平行する所要長さの一対の保持杆１，２の上端側に、両保持杆を連結する連結杆３を配設し、該連結杆３の中央線より稍上部に、斜め方向にそり上げてガイド板４を添設すると共に、下端側に両保持杆１，２杆にわたり阻止板８を挿脱可能に設けて前記ガイド板４と前記両側の保持杆１，２及び阻止板８によって弾褥性を有する樹脂発泡板５を収容する空間を形成し、該空間に上記樹脂発泡板５を安定的に収容保持せしめると共に両側の保持杆１，２に該保持杆を押し下げるハンドル６，７を回動かつ摺動可能に設けた。【選択図】      図２
0003123110.tif 000002
【実用新案登録請求の範囲】
【請求項１】
適宜間隔をおいて互いに平行する所要長さの一対の保持杆の基端側に両保持杆を連結する連結杆を配設し、該連結杆の中央線より稍上部に、斜め方向に反り上げてガイド板を添設し、該ガイド板と前記両側の保持杆によって弾褥性を有する樹脂発泡板を収容する空間を形成して該空間に上記樹脂発泡板を収容保持可能ならしめると共に、両側の保持杆に該保持杆を押し下げるハンドルを回動かつ摺動可能に配設し、更に両保持杆の先端部間にわたり前記樹脂発泡板のずり落ちを阻止する阻止板をその脚杆を介し前記保持杆に挿脱可能に設けたことを特徴とする腰椎及び脊伸ばし器
【請求項２】
ガイド板が上縁に樹脂発泡板の上縁を受け止めるストップ部を有している請求項１記載の腰椎及び脊伸ばし器。
【請求項３】
保持杆と、阻止板の脚杆をボルトで位置を調節して止着し、該ボルトでハンドルのずり落ちを阻止する請求項１又は２記載の腰椎及び脊伸ばし器。
【考案の詳細な説明】
【技術分野】
【０００１】
本考案は手作業による腰椎及び脊伸ばし器に係り、詳しくは腰椎下に位置させ手動ハンドルを利用して腰椎を伸ばし、その反動で脊も伸ばし上げる腰椎及び脊伸ばし器に関するものである。
【背景技術】
【０００２】
従来、腰椎や背中を伸ばすには電動式，機械式器具を用いて他人の操作により治療したり、重症の場合は病院に通院し治療することが多かったが、これらの治療では患者の精神不安定の理解が十分でなく毎日の治療は頗る面倒であった。勿論、簡単な棒状材を用いて自ら操作し腰を伸ばすこともできるが、瞬間的な効用があるだけで充分な治療というには至らなかった。一方、腰椎や背中を伸ばすための器具としては幾つかの運動用器具（例えば特許文献１参照）が提案されている。
【特許文献１】特公平４−６４２７４号公報
【考案の開示】
【考案が解決しようとする課題】
【０００３】
しかし、従来提案されている各器具は運動用の器具であり、また、治療に使用するものは電動式のものが多く、使用が煩雑であると共に嵩張って持ち運びに不便であった。
【０００４】
本考案は上述の如き実状に対処し、特に手軽に自宅で出来る簡単な腰椎及び背伸ばし器を提供することにより、自宅の布団の中でも不便なく操作し得て、腰椎及び背伸ばしが容易であると共に、折り畳みを可能として、持ち運び，収納を便ならしめることを目的とするものである。
【課題を解決するための手段】
【０００５】
即ち、上記目的を達成するための本考案の特徴は、適宜間隔をおいて互いに平行する所要長さの一対の保持杆の基端側に両保持杆を連結する連結杆を配設し、該連結杆の中央線より稍上部に、斜め方向に反り上げてガイド板を添設し、該ガイド板と前記両側の保持杆によって弾褥性を有する樹脂発泡板を収容する空間を形成して該空間に上記樹脂発泡板を収容保持せしめると共に、両側の保持杆に該保持杆を押し下げるハンドルを回動かつ摺動可能に配設し、更に両保持杆の先端部間にわたり樹脂発泡板のずり落ちを阻止する阻止板をその脚杆を介し前記保持杆に挿脱可能に設けた点にある。なお、ガイド板は上縁に樹脂発泡板の上縁を受け止めるストップ部を有していることが好ましい。また、脚杆と保持杆はボルトで位置を調節して止着すると共に、該ボルトでハンドルのずり落ちを阻止せしめることが好適である。
【考案の効果】
【０００６】
本考案腰椎及び背伸ばし器は小型で、自宅で布団の中にいれて使用しても何ら不便さはなく、しかも自分の力で加減して使用できるので安全で、楽しく使用することができる。そして、樹脂発泡板は保持杆，連結杆，阻止板で囲まれた空間内で確実に保持され、ハンドルは位置の調節により使用に適合させることができる。
【０００７】
かくして腹筋強化に両足を斜めに伸ばし上げてハンドルを押し伸ばすと腰痛の予防になり、腹部を引っ込めてハンドルを押し下げると胃液の逆流を防ぐ幽門部及び括約筋の強化にもなり、種々の形態に応用できる汎用機能を有している。また、ハンドルを回動することによりハンドルを保持杆内側に収納すれば一枚の板状の小さい形となり、保管，持ち運びに頗る便利である。
【考案を実施するための最良の形態】
【０００８】
以下、更に添付図面にもとづいて本考案の具体的な実施の形態を説明する。図１は本考案腰椎及び背伸ばし器（以下、単に脊伸ばし器と略記する）の基本形態であり、図２は樹脂発泡板を収容した状態図である。
【０００９】
これら図において１，２は適宜、所要の間隔をおいて互いに平行して配設された両側の保持杆であり、両保持杆１，２はその基端側において連結杆３によって連結されていて、樹脂発泡板５の上部を斜めに反り上げて載せるガイド板４が上縁に樹脂発泡板５の上縁部を係止するストップ部４´を有して添設されて脊伸ばし器本体Ａが構成されている。ここで、保持杆１，２及び連結杆３は金属製のパイプであっても、また棒状体であってもよく、更に一方を棒状体、他方をパイプとすることも差し支えない。しかし、軽量化のためには可及的パイプ材の使用が好ましい。特に、保持杆１，２にはパイプ材が用いられる。また、これら保持杆１，２と連結杆３は同径のものでもよいが、径の異なる，太，細パイプを使用し、連結杆側を保持杆に比し太くすることも好適である。そして、両側保持杆１，２と連結杆３との連結にあたっては溶接など適宜の連結手段を用いることができる。
【００１０】
図２は上記脊伸ばし器本体Ａに樹脂発泡板５を載置し添設した状態であり、両側保持杆１，２と連結杆３によって囲まれる空間を樹脂発泡板５の収容空間Ｓとして、該空間Ｓに樹脂発泡板５をその上部をガイド板４に載せ、上縁をストップ部４´に押し当て係止して添設されている。そして、樹脂発泡板５の下端側のずり落ちを阻止するため下端側には阻止板８がその脚杆９，９を両側の保持杆１，２内に挿脱自在に挿入して保持杆に対しボルト１０位置を調節して止着している。
【００１１】
１１はボルト挿入穴であり、脚杆９に複数個設けられてボルト止着時に後述のハンドルの自在部のずり落ちを阻止せしめるようになっている。
【００１２】
樹脂発泡板５は一般的にはソフトタッチと弾力性に優れた弾褥性のスポンジ板であり、発泡ゴムの外、発泡ウレタンなどが用いられる。この樹脂発泡板５は使用時、体圧により床面に大きく押し曲げられ、図２の状態を呈するが、載置添接し使用していない状態では押し曲げられることなく平坦な板状態を呈している。なお、樹脂発泡板５は身体に接する面を摩擦状にすることも好適である。図中、６，７は上記両側の保持杆１，２に自在部６´，７´を介して回動，摺動自在に取り付けられたハンドルであり、樹脂発泡板５を尻部の仙骨面で圧着させてその摩擦力を利用してハンドルを手のひらで押し下げて腰椎を押し伸ばし、またその反動で背も伸ばし上げられる。なお、自在部のずり落ちが保持杆と脚杆との止着ボルトによって阻止されることは前述の通りである。
【００１３】
図３は上記本考案脊伸ばし器を使用している状態図であり、上記脊伸ばし器を寝ている状態の人体Ｍの尻下に位置させ、尻を降ろすと樹脂発泡板５が尻部の体圧で図２のように押し曲げられて仙骨面に圧着され下降カーブ状態となる。そして、その摩擦力を利用して両手を手のひらを上にして肘を少し曲げ敷布団につけてハンドル６，７を持ち左右の側部の保持杆を矢示方向に押し下げると前述のように腰が押し下げられ、その反動で背も伸ばし上げられる。なお、連結杆３のパイプを太くすることにより、両側保持杆が縦方向にシーソー式に少し運動し易く、太い丸みを付け布団等の傷みを防止する作用もある。
【００１４】
かくして本考案脊伸ばし器は自分の力で適宜加減して使用し、安全でかつ楽しく使用でき、又、腹筋強化に両足を斜めに伸ばし上げて押し伸ばすと腰痛予防になり、また、おへそを強く引っ込めてハンドルを押し下げると、幽門部かつ括約筋の強化にもなり、種々の形態に応じて使用することができる。
【図面の簡単な説明】
【００１５】
【図１】本考案腰椎及び背伸ばし器の基本形態を示す斜視図である。
【図２】樹脂発泡板を設置した本考案腰椎及び背伸ばし器の斜視図である。
【図３】本考案腰椎及び背伸ばし器の使用状態図である。
【符号の説明】
【００１６】
１，２：保持杆
３：連結杆
４：ガイド板
４´：ストップ部
５：樹脂発泡板
６，７：ハンドル
６´，７´：ハンドルの自在部
８：阻止板
９：脚杆
１０：止着ボルト
１１：ボルト挿入穴
Ａ：腰椎及び背伸ばし器本体
Ｓ：樹脂板収容空間
【図１】
0003123110.tif 000003
【図２】
0003123110.tif 000004
【図３】
0003123110.tif 000005
【手続補正書】
【提出日】平成18年4月24日(2006.4.24)
【手続補正１】
【補正対象書類名】図面
【補正対象項目名】図１
【補正方法】変更
【補正の内容】
【図１】
0003123110.tif 000006
【手続補正２】
【補正対象書類名】図面
【補正対象項目名】図２
【補正方法】変更
【補正の内容】
【図２】
0003123110.tif 000007